(57)【特許請求の範囲】
【請求項１】
信号線（Ｌ1）および共通線（Ｌ2）の間に待受電圧（ＤＣ1）、通話電圧（ＤＣ2）の何れかを印加するための親機ＤＣ供給回路（１１）を有する親機（１）と、前記信号線および前記共通線の間に前記待受電圧、前記通話電圧の何れかを印加することにより点灯される通電表示灯（４１）を有する子機（４）との間に接続され、セキュリティセンサ（３）からのセキュリティ信号（Ｓ1）を受信すると、前記信号線および前記共通線の間に警報音信号（Ｓ3）を印加して警報発報するためのセキュリティ装置（２）であって、
前記セキュリティ装置には、前記警報音信号を発生するための警報音信号発生回路（２３）と、メイク側が前記警報音信号発生回路に、ブレイク側が前記親機にそれぞれ接続される警報リレー（２６）と、メイク側が前記親機に接続される通電リレー（２７）と、前記セキュリティ信号に応じて前記警報リレーをメイクさせるための警報リレー制御回路（２２）と、前記セキュリティ装置が通電されているときに前記通電リレーをメイクさせるための通電リレー制御回路（２４）とが備えられ、前記警報リレーのブレイクおよび前記通電リレーのメイクに基づき、前記親機ＤＣ供給回路からの前記待受電圧、前記通話電圧の何れかを前記信号線および前記共通線の間に印加して前記通電表示灯を点灯させ、前記親機および前記セキュリティ装置が通電されている状況を住戸外にて確認できるようにしたことを特徴とするセキュリティ装置。
【請求項２】
信号線（Ｌ51）および共通線（Ｌ52）の間に待受電圧（ＤＣ51）、通話電圧（ＤＣ52）の何れかを印加するための親機ＤＣ供給回路（６２）を有する親機（５１）と、前記信号線および前記共通線の間に前記待受電圧、前記通話電圧の何れかを印加することにより点灯される通電表示灯（４１）を有する子機（５４）との間に接続され、セキュリティセンサ（５３）からのセキュリティ信号（Ｓ52）を受信すると、前記信号線および前記共通線の間に警報音信号（Ｓ54）を印加して警報発報するためのセキュリティ装置（５２）であって、
前記親機には、前記親機が通電されている状況を前記セキュリティ装置に伝える通電信号（Ｓ51）を送信するための通電信号送信回路（６１）を備え、
前記セキュリティ装置には、前記警報音信号を発生するための警報音信号発生回路（７４）と、前記通電信号を受信するための通電信号受信回路（７０）と、前記信号線および前記共通線の間に前記待受電圧を印加するためのアダプタＤＣ供給回路（７６）と、前記親機が通電されていないときに前記セキュリティ装置が通電されていれば、前記子機との間でインピーダンスマッチングをとるためのマッチング回路（７７）と、メイク側が前記警報音信号発生回路に、ブレイク側が前記親機にそれぞれ接続される警報リレー（７９）と、メイク側が前記親機に接続される通電リレー（８０）と、前記セキュリティ信号に応じて前記警報リレーをメイクさせるための警報リレー制御回路（７３）と、前記親機、前記セキュリティ装置の両者が通電されているときには前記通電リレーをメイクさせ、前記セキュリティ装置が通電しており、前記親機が通電されていないときには前記警報リレーをメイクさせるための通電／警報リレー制御回路（７５）とが備えられ、前記親機が通電されているときに前記警報リレーのブレイクおよび前記通電リレーのメイクに基づき、前記通電表示灯を点灯させるとともに、前記親機が通電されていないときに前記セキュリティ装置が通電されていれば、前記警報リレーをメイクさせ、前記マッチング回路により前記子機とのインピーダンスマッチングをとり、前記アダプタＤＣ供給回路からの前記待受電圧を前記信号線および前記共通線の間に印加して前記通電表示灯を点灯させ、前記セキュリティ装置が通電されている状況を住戸外にて確認できるようにしたことを特徴とするセキュリティ装置。
【発明の詳細な説明】
【０００１】
【発明の属する技術分野】
本発明は、インターホンシステムに組み込まれたセキュリティ装置に係り、特に、セキュリティ装置が通電されているか否かの状況を、住戸外に設置される子機にて確認できるセキュリティ装置に関する。
【０００２】
【従来の技術】
従来から、この種のセキュリティ装置が組み込まれたインターホンシステムとして、図３のブロック図に示す構成のインターホンシステムが提案されている。
【０００３】
同図に示すインターホンシステムは、信号線Ｌ101および共通線Ｌ102を介して接続される親機１０１と子機１０４との間にセキュリティ装置１０２が設けられており、このセキュリティ装置１０２には、信号線Ｌ103を介してセキュリティセンサ１０３が接続されている。
【０００４】
同図に示す親機１０１は、通常、住戸内に設置されている。この親機１０１において、信号線接続端子Ｔ101aには、信号線Ｌ101を介してセキュリティ装置１０２の親機側信号線接続端子Ｔ102aが接続されているとともに、親機回路１１０、親機ＤＣ供給回路１１１がそれぞれ接続されている。また、共通線接続端子Ｔ101bには、共通線Ｌ102を介してセキュリティ装置１０２の親機側共通線接続端子Ｔ102bが接続されているとともに、親機回路１１０、親機ＤＣ供給回路１１１がそれぞれ接続されている。なお、親機ＤＣ供給回路１１１には、通常、ＡＣ電源、例えば、ＡＣ１００Ｖを供給するための商用電源が接続されている。
【０００５】
同図に示すセキュリティ装置１０２は、親機１０１、セキュリティセンサ１０３とともに通常、住戸内に設置されている。このセキュリティ装置１０２において、親機側信号線接続端子Ｔ102aには、信号線Ｌ101を介して親機１０１の信号線接続端子Ｔ101aが接続されているとともに、警報リレー１２５をなす第１のスイッチ１２５ａのブレイク側が接続されている。また、親機側共通線接続端子Ｔ102bには、共通線Ｌ102を介して親機１０１の共通線接続端子Ｔ101bが接続されているとともに、警報リレー１２５をなす第２のスイッチ１２５ｂのブレイク側が接続されている。また、センサ側信号線接続端子Ｔ102cには、信号線Ｌ103を介してセキュリティセンサ１０３が接続されているとともに、セキュリティインターフェース回路（以下、セキュリティＩ／Ｆ回路という。）１２０を介してＣＰＵ１２１の入力側が接続されており、このＣＰＵ１２１の出力側には、警報リレー制御回路１２２の入力側、警報音信号発生回路１２３の入力側がそれぞれ接続されている。また、警報リレー制御回路１２２の出力側には、警報リレー１２５の制御入力側が接続されている。また、警報音信号発生回路１２３の（２線からなる）出力側の一方には、セキュリティスピーカ１２４、警報リレー１２５をなす第１のスイッチ１２５ａのメイク側がそれぞれ接続され、この（２線からなる）出力側の他方には、セキュリティスピーカ１２４、警報リレー１２５をなす第２のスイッチ１２５ｂのメイク側がそれぞれ接続されており、警報リレー１２５をなす第１、第２の各スイッチ１２５ａ、１２５ｂのコモン側には、子機側信号線接続端子Ｔ102d、子機側共通線接続端子Ｔ102eがそれぞれ接続されている。さらに、セキュリティＤＣ供給回路１２６には、通常、ＡＣ電源、例えば、ＡＣ１００Ｖを供給するための商用電源が接続されている。
【０００６】
同図に示す子機１０４は、通常、住戸外に設置されている。この子機１０４において、信号線接続端子Ｔ103aには、信号線Ｌ101を介してセキュリティ装置１０２の子機側信号線接続端子Ｔ102dが接続されているとともに、呼出回路１３０の一端、ハイブリッド回路１３３の２線側の一方、通電表示回路１３４をなすダイオードブリッジ１４０の（〜）端子の一方がそれぞれ接続されている。また、共通線接続端子Ｔ103bには、共通線Ｌ102を介してセキュリティ装置１０２の子機側共通線接続端子Ｔ102eが接続されているとともに、呼出回路１３０の他端、ハイブリッド回路１３３の２線側の他方、通電表示回路１３４をなすダイオードブリッジ１４０の（〜）端子の他方がそれぞれ接続されている。また、ハイブリッド回路１３３の４線側には、親機マイク１３１、親機スピーカ１３２がそれぞれ接続されている。さらに、通電表示回路１３４をなすダイオードブリッジ１４０の（＋）端子および（−）端子の間には、直列接続された通電表示灯１４１および抵抗１４２が設けられている。
【０００７】
このように構成された従来例のインターホンシステムにおいて、親機１０１の親機ＤＣ供給回路１１１には、商用電源からのＡＣ電源、例えば、ＡＣ１００Ｖが通電されており、この親機ＤＣ供給回路１１１は、当該親機が待受状態、すなわち、住戸外に居る来訪者により子機１０４の呼出回路１３０が操作される呼び出し（詳述せず）を待ち受けしている状態には待受電圧を、一方、当該親機が通話状態、すなわち、子機１０４の子機マイク１３１および子機スピーカ１３２と親機回路１１０との間の通話ライン（詳述せず）が形成されている状態には通話電圧を、親機回路１１０に印加して動作電源とするばかりでなく、信号線接続端子Ｔ101aおよび子機側信号線接続端子Ｔ101bとセキュリティ装置１０２の親機側信号線接続端子Ｔ102aおよび親機側共通線接続端子Ｔ102bとを接続する信号線Ｌ101および共通線Ｌ102の間に印加している。
【０００８】
ここで、セキュリティ装置１０２のセキュリティＤＣ供給回路１２６に、商用電源からのＡＣ電源、例えば、ＡＣ１００Ｖが通電されていることに起因して、当該セキュリティ装置の各回路へ動作電圧が印加されており、かつ、当該セキュリティ装置が監視状態、すなわち、住戸内のセキュリティ異常を検出するセキュリティセンサ１０３からのセキュリティ信号の入力の有無を監視している状態において、警報リレー１２５をなす第１、第２の各スイッチ１２５ａ、１２５ｂはブレイクされており、親機側信号線接続端子Ｔ102aと子機側信号線接続端子Ｔ102dとの間のライン（以下、第１の装置内信号線ラインという。）、親機側共通線接続端子Ｔ102bと子機側共通線接続端子Ｔ102eとの間のライン（以下、第１の装置内共通線ラインという。）がそれぞれ形成される。
【０００９】
また、親機１０１の親機ＤＣ供給回路１１１からの待受電圧、通話電圧の何れかの電圧は、信号線接続端子Ｔ101aおよび共通線接続端子Ｔ101bとセキュリティ装置１０２の親機側信号線接続端子Ｔ102aおよび親機側共通線接続端子Ｔ102bとを接続する信号線Ｌ101および共通線Ｌ102の間、上述の第１の装置内信号線ラインおよび第１の装置内共通線ラインの間、子機側信号線接続端子Ｔ102dおよび子機側共通線接続端子Ｔ102eと子機１０４の信号線接続端子Ｔ103aおよび共通線接続端子Ｔ103bとを接続する信号線Ｌ101および共通線Ｌ102の間を介してハイブリッド回路１３３、通電表示回路１３４をなすダイオードブリッジ１４０にそれぞれ印加され、ハイブリッド回路１３３の動作電源となるばかりでなく、ダイオードブリッジ１４０を介して極性が不問とされた電圧に基づき通電表示灯１４１が点灯することにより、親機１０１が通電されている状況を、住戸外にて確認できる。
【００１０】
次に、親機１０１およびセキュリティ装置１０２が上述のように通電されており、かつ、当該セキュリティ装置が監視状態である場合において、住戸内にてセキュリティ異常が発生すると、当該セキュリティ異常を検出したセキュリティセンサ１０３からセキュリティ信号が出力され、このセキュリティ信号は、信号線Ｌ103、セキュリティ装置１０２のセンサ側信号線接続端子Ｔ102c、セキュリティＩ／Ｆ回路１２０を介してＣＰＵ１２１に伝送される。
【００１１】
セキュリティ装置１０２のＣＰＵ１２１は、セキュリティセンサ１０３からのセキュリティ信号を受信して住戸内のセキュリティ異常を検出すると、警報リレー制御回路１２２、警報音信号発生回路１２３がそれぞれ能動となるための警報制御信号を出力する。また、ＣＰＵ１２１からの警報制御信号に基づき能動とされた警報リレー制御回路１２２は、警報リレー１２５をなす第１、第２の各スイッチ１２５ａ、１２５ｂをメイクさせることにより、上述の第１の装置内信号線ラインおよび第１の装置内共通線ラインは遮断され、警報音信号発生回路１２３と子機側信号線接続端子Ｔ102dとの間のライン（以下、第２の装置内信号線ラインという。）、警報音信号発生回路１２３と子機側共通線接続端子Ｔ102eとの間のライン（以下、第２の装置内共通線ラインという。）がそれぞれ形成される。さらに、ＣＰＵ１２１からの警報制御信号に基づき能動とされた警報音信号発生回路１２３は、警報音信号を出力する。この警報音信号は、セキュリティスピーカ１２４に伝送され、信号処理された後、警報音として鳴動され警報発報が行なわれるとともに、上述の第２の装置内信号線ラインおよび第２の装置内共通線ラインの間を介して信号線Ｌ101および共通線Ｌ102の間に印加される。なお、ＣＰＵ１２１から警報リレー制御回路１２２、警報音信号発生回路１２３への警報制御信号の出力は、セキュリティセンサ１０３からのセキュリティ信号の受信が継続されている限り、出力され続ける、一方、セキュリティ信号の受信が停止すると、警報制御信号の出力も停止される。
【００１２】
セキュリティ装置１０２の警報音信号発生回路１２３から出力され、信号線Ｌ101および共通線Ｌ102の間に印加された警報音信号は、子機１０４の信号線接続端子Ｔ103aおよび共通線接続端子Ｔ103b（の間）を介してハイブリッド回路１３３、通電表示回路１３４をなすダイオードブリッジ１４０にそれぞれ伝送される。また、ハイブリッド回路１３３は、セキュリティ装置１０２の警報音信号発生回路１２３からの警報音信号を２線／４線変換して子機スピーカ１３２に送出することにより、子機スピーカ１３２では、信号処理された警報音が鳴動して警報発報が行なわれる。さらに、通電表示回路１３４をなすダイオードブリッジ１４０は、セキュリティ装置１０２の警報音信号発生回路１２３からの警報音信号（の電圧）に基づき通電表示灯１４１を点灯させることにより、住戸内にてセキュリティ異常が発生している状況を、住戸外にて確認できる。
【００１３】
【発明が解決しようとする課題】
しかしながら、従来例のセキュリティ装置が組み込まれたインターホンシステムにおいて、セキュリティ装置１０２が通電されているか否かの状況は、セキュリティセンサ１０３にてセキュリティ異常が検出された場合、すなわち、警報発報時のみ住戸外に設置される子機１０４にて確認できる。一方、親機１０１が通電している待受状態、あるいは通話状態の場合には、セキュリティ装置１０２が通電されているか否かの状況を、住戸外に設置される子機１０４にて確認できない難点があった。
【００１４】
本発明は、上述の難点を解消するためになされたもので、親機が通電している待受状態、あるいは通話状態の場合、または親機が通電されていない場合でも、セキュリティ装置が通電されているか否かの状況を、住戸外に設置される子機にて確認できるようにしたインターホンシステムに組み込まれるセキュリティ装置を提供することを目的としている。
【００１５】
【課題を解決するための手段】
上述の目的を達成するため、本発明によるセキュリティ装置は、信号線および共通線の間に待受電圧、通話電圧の何れかを印加するための親機ＤＣ供給回路を有する親機と、信号線および共通線の間に待受電圧、通話電圧の何れかを印加することにより点灯される通電表示灯を有する子機との間に接続され、セキュリティセンサからのセキュリティ信号を受信すると、信号線および共通線の間に警報音信号を印加して警報発報するためのセキュリティ装置であって、セキュリティ装置には、警報音信号を発生するための警報音信号発生回路と、メイク側が警報音信号発生回路に、ブレイク側が親機にそれぞれ接続される警報リレーと、メイク側が親機に接続される通電リレーと、セキュリティ信号に応じて警報リレーをメイクさせるための警報リレー制御回路と、セキュリティ装置が通電されているときに通電リレーをメイクさせるための通電リレー制御回路とが備えられ、警報リレーのブレイクおよび通電リレーのメイクに基づき、親機ＤＣ供給回路からの待受電圧、通話電圧の何れかを信号線および共通線の間に印加して通電表示灯を点灯させ、親機およびセキュリティ装置が通電されている状況を住戸外にて確認できるようにしたことを特徴としている。
【００１６】
このようなセキュリティ装置によれば、当該セキュリティ装置が通電されており、セキュリティセンサからのセキュリティ信号の入力の有無を監視している場合において、親機が通電されていると、信号線および共通線の間に印加される待受電圧、通話電圧の何れかの電圧、またはセキュリティ信号の入力を検出したセキュリティ装置のＣＰＵの制御により警報音信号発生回路から出力される警報音信号（の電圧）に基づき子機の通電表示灯は点灯される。また、セキュリティ装置が通電されていないと、親機が通電されているか否かに拘わらず、子機の通電表示灯は消灯される。
【００１７】
また、本発明によるセキュリティ装置は、信号線および共通線の間に待受電圧、通話電圧の何れかを印加するための親機ＤＣ供給回路を有する親機と、信号線および共通線の間に待受電圧、通話電圧の何れかを印加することにより点灯される通電表示灯を有する子機との間に接続され、セキュリティセンサからのセキュリティ信号を受信すると、信号線および共通線の間に警報音信号を印加して警報発報するためのセキュリティ装置であって、親機には、親機が通電されている状況をセキュリティ装置に伝える通電信号を送信するための通電信号送信回路を備え、セキュリティ装置には、警報音信号を発生するための警報音信号発生回路と、通電信号を受信するための通電信号受信回路と、信号線および共通線の間に待受電圧を印加するためのアダプタＤＣ供給回路と、親機が通電されていないときにセキュリティ装置が通電されていれば、子機とのインピーダンスマッチングをとるためのマッチング回路と、メイク側が警報音信号発生回路に、ブレイク側が親機にそれぞれ接続される警報リレーと、メイク側が親機に接続される通電リレーと、セキュリティ信号に応じて警報リレーをメイクさせるための警報リレー制御回路と、親機、セキュリティ装置の両者が通電されているときには通電リレーをメイクさせ、セキュリティ装置が通電しており、親機が通電されていないときには警報リレーをメイクさせるための通電／警報リレー制御回路とが備えられ、親機が通電されているときに警報リレーのブレイクおよび通電リレーのメイクに基づき、通電表示灯を点灯させるとともに、親機が通電されていないときにセキュリティ装置が通電されていれば、警報リレーをメイクさせ、マッチング回路により子機とのインピーダンスマッチングをとり、アダプタＤＣ供給回路からの待受電圧を信号線および共通線の間に印加して通電表示灯を点灯させ、セキュリティ装置が通電されている状況を住戸外にて確認できるようにしたことを特徴としている。
【００１８】
このようなセキュリティ装置によれば、当該セキュリティ装置が通電されており、セキュリティセンサからのセキュリティ信号の入力の有無を監視している場合において、親機が通電されていると、信号線および共通線の間に印加される待受電圧、通話電圧の何れかの電圧、またはセキュリティ信号の入力を検出したセキュリティ装置のＣＰＵの制御により警報音信号発生回路から出力される警報音信号（の電圧）に基づき子機の通電表示灯は点灯される。一方、親機が通電されていないと、セキュリティ装置のアダプタＤＣ供給回路から信号線および共通線の間に印加される待受電圧、または上述の警報音信号に基づき子機の通電表示灯は点灯される。
【００１９】
【発明の実施の形態】
以下、本発明によるセキュリティ装置を適用した好ましい形態の実施例について、図面を参照して説明する。
【００２０】
図１は、本発明の第１の実施例によるセキュリティ装置が組み込まれたインターホンシステムの具体的な構成を示すブロック図であり、住戸内にて発生したセキュリティ異常を検出、例えば、火災の発生を感知、ガス漏れを検知するためのセキュリティセンサ３が信号線Ｌ3を介して接続されるセキュリティ装置２は、信号線Ｌ1および共通線Ｌ2を介して接続される親機１と子機４との間に設けられている。
【００２１】
同図に示す親機１は、通常、住戸内に設置されている。この親機１には、信号線接続端子Ｔ1a、共通線接続端子Ｔ1bにそれぞれ接続されており、子機４からの呼出時における呼出報知機能や通話機能等（詳述せず）を有する親機回路１０と、通常、ＡＣ電源、例えば、ＡＣ１００Ｖを供給するための商用電源が接続されており、信号線接続端子Ｔ1a、共通線接続端子Ｔ1bにそれぞれ接続される信号線Ｌ1、共通線Ｌ2の当該信号線および当該共通線の間、親機回路１０にそれぞれ待受電圧ＤＣ1、通話電圧ＤＣ2の何れかを印加するための親機ＤＣ供給回路１１とが備えられている。なお、親機ＤＣ供給回路１１からの待受電圧ＤＣ1の電圧レベル（電圧値）と通話電圧ＤＣ2の電圧レベル（電圧値）とは、通常、ＤＣ1＜ＤＣ2の関係を有する。
【００２２】
同図に示すセキュリティ装置２は、親機１、セキュリティセンサ３とともに通常、住戸内に設置されている。このセキュリティ装置２には、住戸内のセキュリティ異常を検出したセキュリティセンサ３から出力され、信号線Ｌ3、センサ側信号線接続端子Ｔ2cを介して伝送されてくるセキュリティ信号を受信するためのセキュリティインターフェース回路（以下、セキュリティＩ／Ｆ回路という。）２０と、セキュリティＩ／Ｆ回路２０にて受信されたセキュリティ信号を検出することにより、後述する警報リレー制御回路２２、警報音信号発生回路２３をそれぞれ制御するためのＣＰＵ２１と、ＣＰＵ２１により制御され、後述する警報リレー２６をなす第１、第２の各スイッチ２６ａ、２６ｂをメイクさせるための警報リレー制御回路２２と、ＣＰＵ２１により制御され、警報音信号を発生するための警報音信号発生回路２３と、当該セキュリティ装置が通電されている場合、後述する通電リレー２７をなすスイッチ２７ａをメイクさせるための通電リレー制御回路２４と、警報音信号発生回路２３からの警報音信号を信号処理し、住戸内のセキュリティ異常を警報発報するための警報音が鳴動されるセキュリティスピーカ２５と、警報リレー制御回路２２により制御され、メイク側が警報音信号発生回路２３の（２線からなる）出力側の一方に、ブレイク側が通電リレー２７をなすスイッチ２７ａのメイク側に、コモン側が子機側信号線接続端子Ｔ2dにそれぞれ接続された第１のスイッチ２６ａおよびメイク側が警報音信号発生回路２３の（２線からなる）出力側の他方に、ブレイク側が親機側共通線接続端子Ｔ2bに、コモン側が子機側共通線接続端子Ｔ2eにそれぞれ接続された第２のスイッチ２６ｂで構成される警報リレー２６と、通電リレー制御回路２４により制御され、メイク側が警報リレー２６をなす第１のスイッチ２６ａのブレイク側に、ブレイク側が基準電位点に、コモン側が親機側信号線接続端子Ｔ2aにそれぞれ接続されたスイッチ２７ａで構成される通電リレー２７と、通常、ＡＣ電源、例えば、ＡＣ１００Ｖを供給するための商用電源が接続されており、当該セキュリティ装置を構成する各回路へ動作電圧を印加するためのセキュリティＤＣ供給回路２８とが備えられている。また、親機側信号線接続端子Ｔ2a、親機側共通線接続端子Ｔ2bには、信号線Ｌ1、共通線Ｌ2をそれぞれ介して親機１の信号線接続端子Ｔ1a、共通線接続端子Ｔ1bが接続されており、子機側信号線接続端子Ｔ2d、子機側共通線接続端子Ｔ2eには、信号線Ｌ1、共通線Ｌ2をそれぞれ介して子機４の信号線接続端子Ｔ3a、共通線接続端子Ｔ3bが接続されている。
【００２３】
同図に示す子機４は、通常、住戸外に設置されている。この子機４には、住戸外に居る来訪者が住戸内に在室中の居住者を呼び出すために操作し、信号線接続端子Ｔ3aおよび共通線接続端子Ｔ3bの間に接続された呼出回路３０と、来訪者が居住者との間で通話を成立させるための送話音声を入力する子機マイク３１と、居住者からの受話音声、または住戸内のセキュリティ異常を警報発報させる警報音を鳴動するための子機スピーカ３２と、２線側に信号線接続端子Ｔ3a、共通線接続端子Ｔ3bが、４線側に子機マイク３１、子機スピーカ３２がそれぞれ接続され、送受信される信号（音声信号、警報音信号）を２線／４線変換、または４線／２線変換するためのハイブリッド回路３３と、親機１の親機ＤＣ供給回路１１から信号線Ｌ1および共通線Ｌ2の間に印加される待受電圧ＤＣ1、通話電圧ＤＣ2の何れか、あるいは、セキュリティ装置２の警報音信号発生回路２３からの警報音信号（の電圧）の極性を不問とするためのダイオードブリッジ４０、ダイオードブリッジ４０を介した待受電圧ＤＣ1、通話電圧ＤＣ2、警報音信号の何れかで点灯される通電表示灯４１、ダイオードブリッジ４０から通電表示灯４１に流れる電流を制限させるための抵抗４２を有する通電表示回路３４とが備えられている。また、通電表示回路３４をなす通電表示灯４１は、通常、発光ダイオードで構成され、この通電表示灯４１のアノードにはダイオードブリッジ４０の（＋）端子が、カソードには抵抗４２を介してダイオードブリッジ４０の（−）端子がそれぞれ接続されており、ダイオードブリッジ４０の（〜）端子の一方には信号線接続端子Ｔ3aが、（〜）端子の他方には共通線接続端子Ｔ3bがそれぞれ接続されている。
【００２４】
このように構成された本発明の第１の実施例によるセキュリティ装置が組み込まれたインターホンシステムにおいて、以下、その動作を具体的に説明する。
【００２５】
図１のブロック図において、親機１の親機ＤＣ供給回路１１には、商用電源からのＡＣ電源、例えば、ＡＣ１００Ｖが通電されており、この親機ＤＣ供給回路１１は、当該親機が待受状態、すなわち、住戸外に居る来訪者により子機４の呼出回路３０が操作される呼び出し（詳述せず）を待ち受けしている状態には待受電圧ＤＣ1を、一方、当該親機が通話状態、すなわち、子機４の子機マイク３１および子機スピーカ３２と親機回路１０との間の通話ライン（詳述せず）が形成されている状態には通話電圧ＤＣ2を、親機回路１０に印加して動作電源とするばかりでなく、信号線接続端子Ｔ1aおよび共通線接続端子Ｔ1bとセキュリティ装置２の親機側信号線接続端子Ｔ2aおよび親機側共通線接続端子Ｔ2bとを接続する信号線Ｌ1および共通線Ｌ2の間に印加している。
【００２６】
ここで、セキュリティ装置２のセキュリティＤＣ供給回路２８に、商用電源からのＡＣ電源、例えば、ＡＣ１００Ｖが通電されていることに起因して、当該セキュリティ装置を構成する各回路へ動作電圧が印加されており、かつ、当該セキュリティ装置が監視状態、すなわち、住戸内のセキュリティ異常を検出するセキュリティセンサ３からのセキュリティ信号の入力の有無を監視している状態において、警報リレー２６をなす第１、第２の各スイッチ２６ａ、２６ｂはブレイクされているとともに、通電リレー２７をなすスイッチ２７ａは、通電リレー制御回路２４の制御に基づきメイクされていることにより、親機側信号線接続端子Ｔ2aと子機側信号線接続端子Ｔ2dとの間のライン（以下、第１の装置内信号線ラインという。）、親機側共通線接続端子Ｔ2bと子機側共通線接続端子Ｔ2eとの間のライン（以下、第１の装置内共通線ラインという。）がそれぞれ形成される。
【００２７】
また、親機１の親機ＤＣ供給回路１１からの待受電圧ＤＣ1、通話電圧ＤＣ2の何れかの電圧は、信号線接続端子Ｔ1aおよび共通線接続端子Ｔ1bとセキュリティ装置２の親機側信号線接続端子Ｔ2aおよび親機側共通線接続端子Ｔ2bとを接続する信号線Ｌ1および共通線Ｌ2の間、上述の第１の装置内信号線ラインおよび第１の装置内共通線ラインの間、子機側信号線接続端子Ｔ2dおよび子機側共通線接続端子Ｔ2eと子機４の信号線接続端子Ｔ3aおよび共通線接続端子Ｔ3bとを接続する信号線Ｌ1および共通線Ｌ2の間を介してハイブリッド回路３３、通電表示回路３４をなすダイオードブリッジ４０にそれぞれ印加され、ハイブリッド回路３３の動作電源となるばかりでなく、ダイオードブリッジ４０を介して極性が不問とされた電圧に基づき通電表示灯４１が点灯することにより、親機１およびセキュリティ装置２が通電されている状況を、住戸外にて確認できる。
【００２８】
次に、親機１およびセキュリティ装置２が上述のように通電されており、かつ、当該セキュリティ装置が監視状態である場合において、住戸内にてセキュリティ異常が発生すると、当該セキュリティ異常を検出したセキュリティセンサ３からセキュリティ信号Ｓ1が出力され、このセキュリティ信号Ｓ1は、信号線Ｌ3、セキュリティ装置２のセンサ側信号線接続端子Ｔ2c、セキュリティＩ／Ｆ回路２０を介してＣＰＵ２１に伝送される。
【００２９】
セキュリティ装置２のＣＰＵ２１は、セキュリティセンサ３からのセキュリティ信号Ｓ1を受信して住戸内のセキュリティ異常を検出すると、警報リレー制御回路２２、警報音信号発生回路２３がそれぞれ能動となるための警報制御信号Ｓ2を出力する。また、ＣＰＵ２１からの警報制御信号Ｓ2に基づき能動とされた警報リレー制御回路２２は、警報リレー２６をなす第１、第２の各スイッチ２６ａ、２６ｂをメイクさせることにより、上述の第１の装置内信号線ラインおよび第１の装置内共通線ラインは遮断され、警報音信号発生回路２３と子機側信号線接続端子Ｔ2dとの間のライン（以下、第２の装置内信号線ラインという。）、警報音信号発生回路２３と子機側共通線接続端子Ｔ2eとの間のライン（以下、第２の装置内共通線ラインという。）がそれぞれ形成される。さらに、ＣＰＵ２１からの警報制御信号Ｓ2に基づき能動とされた警報音信号発生回路２３は、警報音信号Ｓ3を出力する。この警報音信号Ｓ3は、セキュリティスピーカ２５に伝送され、信号処理された後、警報音として鳴動され警報発報が行なわれるとともに、上述の第２の装置内信号線ラインおよび第２の装置内共通線ラインの間を介して信号線Ｌ1および共通線Ｌ2の間に印加される。なお、ＣＰＵ２１から警報リレー制御回路２２、警報音信号発生回路２３への警報制御信号Ｓ2の出力は、セキュリティセンサ３からのセキュリティ信号Ｓ1の受信が継続されている限り、出力され続ける、一方、セキュリティ信号Ｓ1の受信が停止すると、警報制御信号Ｓ2の出力も停止される。
【００３０】
セキュリティ装置２の警報音信号発生回路２３から出力され、信号線Ｌ1および共通線Ｌ2の間に印加された警報音信号Ｓ3は、子機４の信号線接続端子Ｔ3aおよび共通線接続端子Ｔ3b（の間）を介してハイブリッド回路３３、通電表示回路３４をなすダイオードブリッジ４０にそれぞれ伝送される。また、ハイブリッド回路３３は、セキュリティ装置２の警報音信号発生回路２３からの警報音信号Ｓ3を２線／４線変換して子機スピーカ３２に送出することにより、子機スピーカ３２では、信号処理された警報音が鳴動して警報発報が行なわれる。さらに、通電表示回路３４をなすダイオードブリッジ４０は、セキュリティ装置２の警報音信号発生回路２３からの警報音信号Ｓ3（の電圧）に基づき通電表示灯４１を点灯させることにより、住戸内にてセキュリティ異常が発生している状況を、住戸外にて確認できる。
【００３１】
上述のように、本発明の第１の実施例によるセキュリティ装置が組み込まれたインターホンシステムによれば、セキュリティセンサ３にてセキュリティ異常が検出された場合、すなわち、警報発報時のみならず、親機１が通電している待受状態、あるいは通話状態の場合でも、セキュリティ装置２が通電されている状況を、子機４の通電表示回路３４をなす通電表示灯４１の点灯に基づき住戸外にて確認させることができる。
【００３２】
次に、親機が通電されているか否かに拘わらず、セキュリティ装置が通電されているか否かの状況を住戸外にて確認できる当該セキュリティ装置が組み込まれたインターホンシステムを、以下、本発明の第２の実施例によるセキュリティ装置が組み込まれたインターホンシステムとして、図面を参照して説明する。
【００３３】
図２は、本発明の第２の実施例によるセキュリティ装置が組み込まれたインターホンシステムの具体的な構成を示すブロック図であり、住戸内にてセキュリティ異常を検出、例えば、火災の発生を感知、ガス漏れを検知するためのセキュリティセンサ５３が信号線Ｌ54を介して接続されるセキュリティ装置５２は、信号線Ｌ51および共通線Ｌ52を介して接続される親機５１と子機５４との間に設けられている。また、親機５１とセキュリティ装置５２とは、信号線Ｌ53を介しても接続されている。
【００３４】
同図に示す親機５１は、通常、住戸内に設置されている。この親機５１には、第１の信号線接続端子Ｔ51a、共通線接続端子Ｔ51bにそれぞれ接続されており、子機５４からの呼出時における呼出報知機能や通話機能等（詳述せず）を有する親機回路６０と、第２の信号線接続端子Ｔ51cに接続されており、当該親機が通電されている状況をセキュリティ装置５２に伝える通電信号を送信するための通電信号送信回路６１と、通常、ＡＣ電源、例えば、ＡＣ１００Ｖを供給するための商用電源が接続されており、第１の信号線接続端子Ｔ51a、共通線接続端子Ｔ51bにそれぞれ接続される信号線Ｌ51、共通線Ｌ52の当該信号線および当該共通線の間、親機回路６０、通電信号送信回路６１にそれぞれ待受電圧ＤＣ51、通話電圧ＤＣ52の何れかを印加するための親機ＤＣ供給回路６２とが備えられている。なお、親機ＤＣ供給回路６２からの待受電圧ＤＣ51の電圧レベル（電圧値）と通話電圧ＤＣ52の電圧レベル（電圧値）とは、通常、ＤＣ51＜ＤＣ52の関係を有する。
【００３５】
同図に示すセキュリティ装置５２は、親機５１、セキュリティセンサ５３とともに通常、住戸内に設置されている。このセキュリティ装置５２には、親機５１の通電信号送信回路６１から出力され、第２の信号線接続端子Ｔ51c、信号線Ｌ53、第２の親機側信号線接続端子Ｔ52cを介して伝送されてくる通電信号を受信するための通電信号受信回路７０と、住戸内のセキュリティ異常を検出したセキュリティセンサ５３から出力され、信号線Ｌ54、センサ側信号線接続端子Ｔ52dを介して伝送されてくるセキュリティ信号を受信するためのセキュリティインターフェース回路（以下、セキュリティＩ／Ｆ回路という。）７１と、セキュリティＩ／Ｆ回路７１にて受信されたセキュリティ信号を検出することにより、後述する警報リレー制御回路７３、警報音信号発生回路７４、アダプタＤＣ供給回路７６、マッチング回路７７をそれぞれ制御するためのＣＰＵ７２と、ＣＰＵ７２により制御され、後述する警報リレー７９をなす第１、第２の各スイッチ７９ａ、７９ｂをメイクさせるための警報リレー制御回路７３と、ＣＰＵ７２により制御され、警報音信号を発生するための警報音信号発生回路７４と、親機５１、当該前記セキュリティ装置の両者が通電されているときには、後述する通電リレー８０をなすスイッチ８０ａをメイクさせる、一方、前記セキュリティ装置が通電しており、親機５１が通電されていないときには、警報リレー７９をなす第１、第２の各スイッチ７９ａ、７９ｂをメイクさせるための通電／警報リレー制御回路７５と、ＣＰＵ７２により制御され、信号線Ｌ51および共通線Ｌ52の間に親機５１の親機ＤＣ供給回路６２からの待受電圧ＤＣ51と同一な電圧レベル（電圧値）の当該待受電圧を印加するためのアダプタＤＣ供給回路７６と、ＣＰＵ７２により制御され、親機５１が通電されていないときに当該セキュリティ装置が通電されていれば、子機５４との間でインピーダンスマッチングをとるためのマッチング回路７７と、警報音信号発生回路７４からの警報音信号を信号処理し、住戸内のセキュリティ異常を警報発報するための警報音が鳴動されるセキュリティスピーカ７８と、警報リレー制御回路７３、または通電／警報リレー制御回路７５により制御され、メイク側が警報音信号発生回路７４の（２線からなる）出力側の一方、アダプタＤＣ供給回路７６の出力側、マッチング回路７７の出力側に、ブレイク側が通電リレー８０をなすスイッチ８０ａのメイク側に、コモン側が子機側信号線接続端子Ｔ52eにそれぞれ接続された第１のスイッチ７９ａおよびメイク側が警報音信号発生回路７４の（２線からなる）出力側の他方、アダプタＤＣ供給回路７６の出力側、マッチング回路７７の出力側に、ブレイク側が親機側共通線接続端子Ｔ52bに、コモン側が子機側共通線接続端子Ｔ52fにそれぞれ接続された第２のスイッチ７９ｂで構成される警報リレー７９と、通電／警報リレー制御回路７５により制御され、メイク側が警報リレー７９をなす第１のスイッチ７９ａのブレイク側に、ブレイク側が基準電位点に、コモン側が第１の親機側信号線接続端子Ｔ52aにそれぞれ接続されたスイッチ８０ａで構成される通電リレー８０と、通常、ＡＣ電源、例えば、ＡＣ１００Ｖを供給するための商用電源が接続されて��り、当該セキュリティ装置を構成する各回路へ動作電圧を印加するためのセキュリティＤＣ供給回路８１とが備えられている。また、第１の親機側信号線接続端子Ｔ52a、親機側共通線接続端子Ｔ52bには、信号線Ｌ51、共通線Ｌ52をそれぞれ介して親機５１の第１の信号線接続端子Ｔ51a、共通線接続端子Ｔ51bが接続されており、子機側信号線接続端子Ｔ52e、子機側共通線接続端子Ｔ52fには、信号線Ｌ51、共通線Ｌ52をそれぞれ介して子機５４の信号線接続端子Ｔ53a、共通線接続端子Ｔ53bが接続されている。
【００３６】
なお、同図に示す子機５４の構成は、本発明の第１の実施例に適用された子機４と同様な構成であることから、同一の符号を付して具体的な構成についての説明は省略する。
【００３７】
このように構成された本発明の第２の実施例によるセキュリティ装置が組み込まれたインターホンシステムにおいて、以下、その動作を具体的に説明する。
【００３８】
図２のブロック図において、親機５１の親機ＤＣ供給回路６２に、商用電源からのＡＣ電源、例えば、ＡＣ１００Ｖが通電されている場合、この親機ＤＣ供給回路６２は、当該親機が待受状態、すなわち、住戸外に居る来訪者により子機５４の呼出回路３０が操作される呼び出し（詳述せず）を待ち受けしている状態には待受電圧ＤＣ51を、一方、当該親機が通話状態、すなわち、子機５４の子機マイク３１および子機スピーカ３２と親機回路６０との間の通話ライン（詳述せず）が形成されている状態には通話電圧ＤＣ52を、親機回路６０、通電信号送信回路６１にそれぞれ印加して動作電源とするばかりでなく、第１の信号線接続端子Ｔ51aおよび共通線接続端子Ｔ51bとセキュリティ装置５２の第１の親機側信号線接続端子Ｔ52aおよび親機側共通線接続端子Ｔ52bとを接続する信号線Ｌ51および共通線Ｌ52の間に印加している。また、親機５１が通電されている場合には、通電信号送信回路６１から通電信号Ｓ51が出力され、この通電信号Ｓ51は、第２の信号線接続端子Ｔ51c、信号線Ｌ53、セキュリティ装置５２の第２の親機側信号線接続端子Ｔ52c、通電信号受信回路７０を介して通電／警報リレー制御回路７５に伝送される。
【００３９】
ここで、セキュリティ装置５２のセキュリティＤＣ供給回路８１に、商用電源からのＡＣ電源、例えば、ＡＣ１００Ｖが通電されていることに起因して、当該セキュリティ装置を構成する各回路へ動作電圧が印加されており、かつ、当該セキュリティ装置が監視状態、すなわち、住戸内のセキュリティ異常を検出するセキュリティセンサ５３からのセキュリティ信号の入力の有無を監視している状態において、警報リレー７９をなす第１、第２の各スイッチ７９ａ、７９ｂはブレイクされているとともに、通電リレー８０をなすスイッチ８０ａは、親機５１の通電信号送信回路６１からの通電信号Ｓ51を検出した通電／警報リレー制御回路７５の制御に基づきメイクされていることにより、第１の親機側信号線接続端子Ｔ52aと子機側信号線接続端子Ｔ52eとの間のライン（以下、第１の装置内信号線ラインという。）、親機側共通線接続端子Ｔ52bと子機側共通線接続端子Ｔ52fとの間のライン（以下、第１の装置内共通線ラインという。）とがそれぞれ形成される。
【００４０】
また、親機５１の親機ＤＣ供給回路６２からの待受電圧ＤＣ51、通話電圧ＤＣ52の何れかの電圧は、第１の信号線接続端子Ｔ51aおよび共通線接続端子Ｔ51bとセキュリティ装置５２の第１の親機側信号線接続端子Ｔ52aおよび親機側共通線接続端子Ｔ52bとを接続する信号線Ｌ51および共通線Ｌ52の間、上述の第１の装置内信号線ラインおよび第１の装置内共通線ラインの間、子機側信号線接続端子Ｔ52eおよび子機側共通線接続端子Ｔ52fと子機５４の信号線接続端子Ｔ53aおよび共通線接続端子Ｔ53bとを接続する信号線Ｌ51および共通線Ｌ52の間を介してハイブリッド回路３３、通電表示回路３４をなすダイオードブリッジ４０にそれぞれ印加され、ハイブリッド回路３３の動作電源となるばかりでなく、ダイオードブリッジ４０を介して極性が不問とされた電圧に基づき通電表示灯４１が点灯することにより、親機５１およびセキュリティ装置５２のうち、少なくともセキュリティ装置５２が通電されている状況を、住戸外にて確認できる。
【００４１】
一方、親機５１の親機ＤＣ供給回路６２に、商用電源からのＡＣ電源、例えば、ＡＣ１００Ｖが通電されておらず、セキュリティ装置５２のセキュリティＤＣ供給回路８１に、商用電源からのＡＣ電源、例えば、ＡＣ１００Ｖが通電されていることに起因して、当該セキュリティ装置を構成する各回路へ動作電圧が印加されており、かつ、当該セキュリティ装置が監視状態であると、セキュリティ装置５２の通電／警報リレー制御回路７５は、親機５１の通電信号送信回路６１からの通電信号Ｓ51を検出できず、この通電／警報リレー制御回路７５は、警報リレー７９をなす第１、第２の各スイッチ７９ａ、７９ｂをメイクさせるとともに、通電リレー８０をなすスイッチ８０ａをブレイクさせることにより、上述の第１の装置内信号線ラインおよび第１の装置内共通線ラインは遮断され、警報音信号発生回路７４、アダプタＤＣ供給回路７６、マッチング回路７７と子機側信号線接続端子Ｔ52eとの間のライン（以下、第２の装置内信号線ラインという。）、警報音信号発生回路７４、アダプタＤＣ供給回路７６、マッチング回路７７と子機側共通線接続端子Ｔ52fとの間のライン（以下、第２の装置内共通線ラインという。）がそれぞれ形成される。また、セキュリティ装置５２が監視状態であると、アダプタＤＣ供給回路７６、マッチング回路７７はそれぞれ能動とされ、このマッチング回路７７は、子機５４との間でインピーダンスマッチングをとっている。また、アダプタＤＣ供給回路７６は、親機５１の親機ＤＣ供給回路６２から信号線Ｌ51および共通線Ｌ52の間に印加される待受電圧ＤＣ51と同一の電圧レベル（電圧値）の待受電圧ＤＣ51を、上述の第２の装置内信号線ラインおよび第２の装置内共通線ラインの間、子機側信号線接続端子Ｔ52eおよび子機側共通線接続端子Ｔ52fと子機５４の信号線接続端子Ｔ53aおよび共通線接続端子Ｔ53bとを接続する信号線Ｌ51および共通線Ｌ52の間を介してハイブリッド回路３３、通電表示回路３４をなすダイオードブリッジ４０にそれぞれ印加し、この待受電圧ＤＣ51は、ハイブリッド回路３３の動作電源となるばかりでなく、ダイオードブリッジ４０を介して極性が不問とされた電圧に基づき通電表示灯４１を点灯させることにより、親機５１およびセキュリティ装置５２のうち、少なくともセキュリティ装置５２が通電されている状況を、住戸外にて確認できる。
【００４２】
次に、親機５１の親機ＤＣ供給回路６２に、商用電源からのＡＣ電源、例えば、ＡＣ１００Ｖが通電されているか否かに拘わらず、セキュリティ装置５２のセキュリティＤＣ供給回路８１に、商用電源からのＡＣ電源、例えば、ＡＣ１００Ｖが通電されていることに起因して、当該セキュリティ装置を構成する各回路へ動作電圧が印加されており、かつ、当該セキュリティ装置が監視状態である場合において、住戸内にてセキュリティ異常が発生すると、当該セキュリティ異常を検出したセキュリティセンサ５３からセキュリティ信号Ｓ52が出力され、このセキュリティ信号Ｓ52は、信号線Ｌ54、セキュリティ装置５２のセンサ側信号線接続端子Ｔ52d、セキュリティＩ／Ｆ回路７１を介してＣＰＵ７２に伝送される。
【００４３】
セキュリティ装置５２のＣＰＵ７２は、セキュリティセンサ５３からのセキュリティ信号Ｓ52を受信して住戸内のセキュリティ異常を検出すると、警報リレー制御回路７３、警報音信号発生回路７４がそれぞれ能動となり、加えて、アダプタＤＣ供給回路７６、マッチング回路７７をそれぞれ非能動とするための警報制御信号Ｓ53を出力する。また、ＣＰＵ７２からの警報制御信号Ｓ53に基づき能動とされた警報リレー制御回路７３は、上述の第２の装置内信号線ラインおよび第２の装置内共通線ラインの形成を保持する。さらに、ＣＰＵ７２からの警報制御信号Ｓ53に基づき能動とされた警報音信号発生回路７４は、警報音信号Ｓ54を出力する。この警報音信号Ｓ54は、セキュリティスピーカ７８に伝送され、信号処理された後、警報音として鳴動され警報発報が行なわれるとともに、上述の第２の装置内信号線ラインおよび第２の装置内共通線ラインの間を介して信号線Ｌ51および共通線Ｌ52の間に印加される。なお、ＣＰＵ７２から警報リレー制御回路７３、警報音信号発生回路７４、アダプタＤＣ供給回路７６、マッチング回路７７への警報制御信号Ｓ53の出力は、セキュリティセンサ５３からのセキュリティ信号Ｓ52の受信が継続されている限り、出力され続ける、一方、セキュリティ信号Ｓ52の受信が停止すると、警報制御信号Ｓ53の出力も停止される。
【００４４】
セキュリティ装置５２の警報音信号発生回路７４から出力され、信号線Ｌ51および共通線Ｌ52の間に印加された警報音信号Ｓ54は、子機５４の信号線接続端子Ｔ53aおよび共通線接続端子Ｔ53b（の間）を介してハイブリッド回路３３、通電表示回路３４をなすダイオードブリッジ４０にそれぞれ伝送される。また、ハイブリッド回路３３は、セキュリティ装置５２の警報音信号発生回路７４からの警報音信号Ｓ54を２線／４線変換して子機スピーカ３２に送出することにより、子機スピーカ３２では、信号処理された警報音が鳴動して警報発報が行なわれる。さらに、通電表示回路３４をなすダイオードブリッジ４０は、セキュリティ装置５２の警報音信号発生回路７４からの警報音信号Ｓ54（の電圧）に基づき通電表示灯４１を点灯させることにより、住戸内にてセキュリティ異常が発生している状況を、住戸外にて確認できる。
【００４５】
上述のように、本発明の第２の実施例によるセキュリティ装置が組み込まれたインターホンシステムによれば、セキュリティセンサ５３にてセキュリティ異常が検出された場合、すなわち、警報発報時のみならず、親機５１が通電されていない場合でも、セキュリティ装置５２が通電されている状況を、子機５４の通電表示回路３４をなす通電表示灯４１の点灯に基づき住戸外にて確認させることができる。
【００４６】
【発明の効果】
以上の説明から明らかなように、本発明によるセキュリティ装置によれば、セキュリティ装置が通電されており、セキュリティセンサからのセキュリティ信号の入力の有無を監視している場合やセキュリティ信号の入力を検出したセキュリティ異常時には、親機が通電されているか否かに拘わらず、子機の通電表示灯は点灯される。一方、セキュリティ装置が通電されていないと、子機の通電表示灯は消灯することにより、セキュリティ装置が通電されているか否かの状況を、住戸外にて確認できる。
【図面の簡単な説明】
【図１】本発明の第１の実施例によるセキュリティ装置が組み込まれたインターホンシステムの具体的な構成を示すブロック図である。
【図２】本発明の第２の実施例によるセキュリティ装置が組み込まれたインターホンシステムの具体的な構成を示すブロック図である。
【図３】従来例のセキュリティ装置が組み込まれたインターホンシステムの具体的な構成を示すブロック図である。
【符号の説明】
１、５１・・・・・親機
２、５２・・・・・セキュリティ装置
３、５３・・・・・セキュリティセンサ
４、５４・・・・・子機
１１、６２・・・・・親機ＤＣ供給回路
２２、７３・・・・・警報リレー制御回路
２３、７４・・・・・警報音信号発生回路
２４・・・・・通電リレー制御回路
２６、７９・・・・・警報リレー
２７、８０・・・・・通電リレー
４１・・・・・通電表示灯
６１・・・・・通電信号送信回路
７０・・・・・通電信号受信回路
７５・・・・・通電／警報リレー制御回路
７６・・・・・アダプタＤＣ供給回路
７７・・・・・マッチング回路
Ｌ1、Ｌ51・・・・・信号線
Ｌ2、Ｌ52・・・・・共通線
ＤＣ1、ＤＣ51・・・・・待受電圧
ＤＣ2、ＤＣ52・・・・・通話電圧
Ｓ1、Ｓ52・・・・・セキュリティ信号
Ｓ3、Ｓ54・・・・・警報音信号
Ｓ51・・・・・通電信号
【図１】
0003888908.tif 000002
【図２】
0003888908.tif 000003
【図３】
0003888908.tif 000004